【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
仙骨と腸骨との間に画定される仙腸関節に、挿入方向に沿って挿入されるように構成されたインプラントであって、前記インプラントが、
近位端と、前記挿入方向に沿って前記近位端から離間した遠位端と、を有し、前記インプラントが前記仙腸関節に挿入されると前記腸骨に当接するような寸法と構成である腸骨係合面と、前記インプラントが前記仙腸関節に挿入されると前記仙骨に当接するような寸法と構成である仙骨係合面と、を画定する、インプラント本体であって、前記腸骨係合面と前記仙骨係合面のうちの少なくとも一方が、前記近位端から前記遠位端の方向に沿って延びるにしたがって、前記腸骨係合面と前記仙骨係合面のうちの他方に向かって収束する、インプラント本体と、
前記インプラント本体の前記近位端から延在する頭部であって、
頭部本体と、
前記頭部本体を貫通して第１の中央軸に沿って延在する第１の骨固定要素受け入れ開口であって、前記インプラント本体が前記仙腸関節内に受け入れられると、前記第１の骨固定要素受け入れ開口が前記第１の中央軸に沿って骨固定要素を受け入れるように構成され、前記骨固定要素を前記仙骨又は前記腸骨のうちの１つと整列させるようになっている、第１の骨固定要素受け入れ開口と、
第１のロッキング中央軸に沿って前記頭部本体内に延在する第１のロッキングチャネルと、
前記第１のロッキング中央軸に対して角度オフセットした第２のロッキング中央軸に沿って前記頭部本体内に延在する第２のロッキングチャネルと、を含む、頭部と、を備えるインプラント。
【請求項２】
前記頭部が、前記頭部本体を貫通して第２の中央軸に沿って延在する第２の骨固定要素受け入れ開口を更に含み、前記インプラント本体が前記仙腸関節内に受け入れられると、前記第２の骨固定要素受け入れ開口が前記第２の中央軸に沿って第２の骨固定要素を受け入れるように構成され、前記第２の骨固定要素を前記仙骨又は前記腸骨のうちの１つと整列させるようになっており、前記第１及び第２の中央軸が、前記インプラント本体の前記近位端から前記遠位端の方向に沿って延びるにしたがって分岐する、請求項１に記載のインプラント。
【請求項３】
前記頭部が、前記頭部本体を貫通して第３及び第４の中央軸に沿って延在する第３及び第４の骨固定要素受け入れ開口を更に含み、前記インプラント本体が前記仙腸関節内に受け入れられると、前記第３及び第４の骨固定要素受け入れ開口がそれぞれ前記第３及び第４の中央軸に沿って第３及び第４の骨固定要素を受け入れるように構成され、前記第３及び第４の骨固定要素を前記仙骨又は前記腸骨のうちの１つと整列させるようになっている、請求項２に記載のインプラント。
【請求項４】
前記第３の骨固定要素受け入れ開口が、第１の方向に沿って前記第１の骨固定要素受け入れ開口と整列し、前記第４の骨固定要素受け入れ開口が、前記第１の方向に平行な第２の方向に沿って、前記第２の骨固定要素受け入れ開口と整列する、請求項３に記載のインプラント。
【請求項５】
前記頭部が、前記頭部本体を貫通して前記挿入方向に沿って延在するガイドワイヤチャネルを更に含む、請求項１〜４のいずれか一項に記載のインプラント。
【請求項６】
前記頭部が、前記頭部本体を貫通して前記第１の骨固定要素受け入れ開口と前記第２の骨固定要素受け入れ開口との間に延在するガイドワイヤチャネルを更に含む、請求項２〜４のいずれか一項に記載のインプラント。
【請求項７】
前記インプラント本体が、前記インプラント本体を貫通して前記挿入方向に沿って延在するガイドワイヤ受け入れチャネルを含み、前記頭部の前記ガイドワイヤチャネルが前記インプラント本体の前記ガイドワイヤ受け入れチャネルと同軸となるようになっている、請求項５又は６に記載のインプラント。
【請求項８】
前記インプラント本体が、第１の本体部分と、前記挿入方向に対して直交する方向に沿って前記第１の本体部分から離れた第２の本体部分と、を含み、前記インプラント本体の前記ガイドワイヤチャネルを画定するギャップが、前記第１の本体部分と前記第２の本体部分との間に画定されるようになっている、請求項５〜７のいずれか一項に記載のインプラント。
【請求項９】
前記頭部が、前記挿入方向に実質的に直交する方向に沿って、前記頭部を貫通して延在するロッド受け入れチャネルを画定する、請求項１〜８のいずれか一項に記載のインプラント。
【請求項１０】
前記頭部が、前記頭部本体から延在する、少なくとも第１の脚と第２の脚を含み、前記第１の脚と前記第２の脚が互いに離間して前記ロッド受け入れチャネルを画定するようになっている、請求項９に記載のインプラント。
【請求項１１】
前記第１の脚と前記第２の脚が離間して、ロッキングキャップを受け入れるように構成されたロッキングキャップチャネルを画定し、前記ロッキングキャップが前記ロッキングキャップチャネル内に受け入れられると、前記第１及び第２の脚が前記ロッキングキャップの雄ねじと結合するように構成された雌ねじをそれぞれ画定する、請求項１０に記載のインプラント。
【請求項１２】
前記頭部が前記頭部本体から延在する第３の脚と第４の脚を更に含み、前記第１、第２、第３及び第４の脚が互いに離間して前記ロッド受け入れチャネルと前記ロッキングキャップチャネルを画定する、請求項１０又は１１に記載のインプラント。
【請求項１３】
システムであって、
請求項１に記載のインプラントと、
前記インプラントを前記仙腸関節に挿入するように構成された挿入器具であって、
近位端と前記挿入方向に沿って前記近位端から離間した遠位端とを画定するガイド本体であって、中央チャネル軸に沿って前記ガイド本体の少なくとも一部を貫通して延在し、前記遠位端の外に延びるチャネルを有する、ガイド本体と、
前記ガイド本体の前記チャネル内でロック解除位置とロック位置との間で可動であり、前記ロック解除位置にある時より前記ロック位置にある時に前記遠位端からより遠くへ延びる第１のロッキング部材と、
前記中央チャネル軸に対して角度オフセットした第２の部材中央軸に沿って前記ガイド本体の前記遠位端から延在し、前記仙腸関節インプラントの前記第２のロッキングチャネルによって受け入れられるように構成された第２のロッキング部材と、を含む、挿入器具と、を備え、
前記第２のロッキング部材が前記仙腸関節インプラントの前記第２のロッキングチャネルに挿入されると、前記ガイド本体の前記チャネルが、前記仙腸関節インプラントの前記第１のロッキングチャネルに対して同軸となって位置決めされるように構成され、前記第１のロッキング部材の前記ロック解除位置から前記ロック位置への移動によって、前記第１のロッキング部材が前記第１のロッキングチャネル内へ挿入されて前記仙腸関節インプラントが前記挿入器具と連結されるようになっている、システム。
【請求項１４】
システムであって、
請求項９〜１２のいずれか一項に記載され、かつ第１の仙腸関節に挿入されるように構成された、第１のインプラントと、
請求項９〜１２のいずれか一項に記載され、かつ第２の仙腸関節に挿入されるように構成された、第２のインプラントと、
ブリッジとして構成され、前記第１のインプラントの前記ロッド受け入れチャネルによって受け入れられるように構成された第１の側と、前記第２のインプラントの前記ロッド受け入れチャネルによって受け入れられるように構成された第２の側と、を有するロッドと、を備えるシステム。